(57)【要約】      （修正有）【課題】組紐表面からは嵩高加工糸間にスパンデックス糸が埋もれて見えにくくなり、長さ方向に引っ張ったり、組紐を縦断面にすれば嵩高加工糸の間からスパンデックス糸が見える構成割合で、組紐は全体にバランスよく収縮し、組紐の伸縮にむらがなく紐に厚み感があり高級感のある弾力性を有する組紐が提供できる。【解決手段】嵩高加工糸２とスパンデックス糸１とを１：１の割合で組糸組織間で交叉させて製紐してなる伸縮性を有する丸打又は平打の組紐である。【選択図】図３
0003104407.tif 000002
【実用新案登録請求の範囲】
【請求項１】
嵩高加工糸とスパンデックス糸とを組糸として組組織間で交叉させて製紐したことを特徴とする伸縮性を有する丸打又は平打の組紐。
【請求項２】
スパンデックス糸がスパンデックス糸を芯糸とし、その外側にナイロン糸、ポリエステル糸、ポリプロピレン糸の何れかを巻き付けたストレッチ加工糸であることを特徴とする請求項１記載の伸縮性を有する丸打又は平打の組紐。
【請求項３】
スパンデックス糸がライクラ糸又はバイレン糸である事を特徴とする請求項１記載の伸縮性を有する丸打又は平打の組紐。
【請求項４】
嵩高加工糸とスパンデックス糸又はストレッチ加工糸との割合を１：１とした事を特徴とする請求項１、２又は３記載の伸縮性を有する丸打又は平打の組紐。
【請求項５】
嵩高加工糸がウーリーポリエステル糸、ウーリーナイロ糸又はウーリーポリプロピレン糸の何れかである事を特徴とする請求項１、２、３又は４記載の伸縮性を有する丸打又は平打の組紐。
【考案の詳細な説明】
【技術分野】
【０００１】
本考案は、組紐表面からはスパンデツクス糸があまり見えず、長さ方向に引っ張ればスパンデックス糸が見える構成で、組紐全体がバランスよく収縮し、厚さを有し高級感のある伸縮性を有する丸打又は平打の組紐に関するものである。
【背景技術】
【０００２】
従来の弾性糸を使用した組紐は、ゴム製弾性芯部を丸打ち又は平打ちの組紐の布製外皮で包囲された構成で、その組紐のスベリ止加工は縦糸と横糸の交叉部を合成樹脂で接着するか、組紐の表面に合成樹脂の小突起を多数形成した靴紐（例えば、特許文献１参照）。
また、スパンデックス弾性糸を芯糸とし、その周囲にコアスパン糸を組糸としスパンデックス弾性裸糸を組織織間に露出させ、凸部を形成した紐紐（例えば、特許文献２参照）。
その他類似のものに通常の平紐の中にゴム芯を組み込んだ平紐等がある。
更に又、合成樹脂の長繊維糸の嵩高加工糸を用いて編組した組紐（例えば、特許文献３参照）が知られている。
【０００３】
【特許文献１】公開実用新案公報  実開昭６２−２６０７  第２頁第１６行乃至第３頁第２行
【特許文献２】公開実用新案公報  実開昭５４−１４０４５  第１頁第４行乃至第９行
【特許文献３】実用新案公報  実公昭４５−２２０５５  第２頁第４欄第５行乃至第６行
【考案の開示】
【考案が解決しようとする課題】
【０００４】
特許文献１の靴紐は、ゴム製弾性芯部を丸打ち又は平打ちの組紐の布製外皮で包囲された構成で、組紐のスベリ止加工は縦糸と横糸の交叉部を合成樹脂で接着するか、組紐の表面に合成樹脂の小突起を多数形成した靴紐である為、組紐表面がごわ付き紐の風合いが硬くなる点に問題があった。
【０００５】
特許文献２の弾性糸を芯糸とし、スパンデックス弾性裸糸を組組織間に露出させ、弾性裸糸で凸部を形成した伸縮性のある組紐はスパンデックス弾性裸糸を組組織間に露出させ、弾性裸糸で凸部を形成しているので、紐は伸縮性のほずれ止めの効果はあるが、この突出する凸部が靴紐の通し穴に引っ掛かり易く紐が切れることがある点及び突出する紐表面の凸部があるため風合いが良くない点に問題があった。
【０００６】
通常の平紐の中にゴム芯を組み込んだ紐は、平紐の表面にうね状にゴムが浮き出るので、風合いが悪く子供服やユニバーサルデザインとしては使用できなかった。
【０００７】
特許文献３の合成樹脂の長繊維糸を使用した嵩高加工糸を用いた編組した紐は、合成繊維の長繊維糸の表面は嵩高加工糸を用いてもやはり滑り易く、靴紐の結び目が締まらず弛み易いなどの点に問題を有している。
【課題を解決するための手段】
【０００８】
本考案の請求項１に記載の考案では、嵩高加工糸とスパンデックス糸とを組糸として組組織間で交叉させて製紐してなる伸縮性を有する丸打又は平打の組紐である。
【０００９】
本考案の請求項２に記載の考案では、請求項１に記載の考案において、スパンデックス糸を芯糸とし、その外側にナイロン糸、ポリエステル糸、ポリプロピレン糸の何れかを巻き付けたストレッチ加工糸である伸縮性を有する丸打又は平打の組紐である。
【００１０】
本考案の請求項３に記載の考案では、請求項１に記載の考案において、スパンデックス糸がライクラ糸又はバイレン糸である伸縮性を有する丸打又は平打の組紐である。
【００１１】
本考案の請求項４に記載の考案では、請求項１、２又は３に記載の考案において、嵩高加工糸とスパンデックス糸又はストレッチ加工糸との割合を１：１とした伸縮性を有する丸打又は平打の組紐である。
【００１２】
本考案の請求項５に記載の考案では、請求項１、２、３又は４の記載において、嵩高加工糸がウーリーポリエステル糸、ウーリーナイロン糸又はウーリーポリプロピレン糸の何れかである伸縮性を有する丸打又は平打の組紐である。
【００１３】
上記の組糸の組組織間に弾性糸である嵩高加工糸とスパンデックス糸とを１：１の割合で製紐するとスパンデックス糸は組紐表面からは見えにくくなり組紐に厚み感があり風合いが柔らかくなり、紐全体がバランスよく収縮し、伸縮にむらがなくて弾力性があり、伸縮性も約１．５倍から２倍となり、さらに組紐全体として嵩高加工糸とスパンデックス糸の割合を調整することにより使用用途に応じて弾力性を調整することが出来る。
【考案の効果】
【００１４】
上記説明した本考案に係る組紐は、嵩高加工糸とスパンデツクス糸が１:１の割合であり嵩高加工糸の間にスパンデックス糸が隠れて見えにくくなり、長さ方向に引っ張ったり、組紐を縦断面にすれば嵩高加工糸の間からスパンデックス糸が見える構成で、組紐は全体にバランスよく収縮し、弾力性を有する組紐が提供できる。
更にスパンデックス糸を芯糸とて、その外側にナイロン糸、ポリエステル糸、ポリプロピレン糸の何れかを巻き付けたストレッチ加工糸を使用すれば、組紐をカットしたときにストレッチ加工糸がばらけにくく、組紐の両端をカットしても解れにくくなる。
その為、嵩高加工糸とカバーリイング糸が摩擦して切れた場合でもスパンデックスス糸の中心への引き込が抑制され、スパンデックス糸だけとなることが少ない。
これらの組紐は摩擦や引っ張りに強く、ある程度強度が必要とする携帯電話、デジタルカメラのストラップや靴紐には好適である。
更に本考案の組紐で丸打ちの組紐は中が空洞で筒状であるため、組紐に厚み感があり、高級感を有する組紐が提供出来るので、組紐自体の風合いが柔らかで、子供服やユニバーサルデザインなど柔らかく伸縮性が求められる衣服の素材として好適である。
【考案を実施するための最良の形態】
【００１５】
以下、本考案を具体化した実施例を説明する。
【００１６】
本考案の図１は組紐の平打ちの組織を示す説明図、図２は組紐の丸打ちの組織を示す説明図、図３は紐規格１６打ち、嵩高加工糸とスパンデックス糸とが１：１の組紐組織拡大説明図、図４は紐規格３２打ち、嵩高加工糸とスパンデックスとが１：１の組紐組織拡大説明図、図５は紐規格４８打ち、嵩高加工糸とスパンデックス糸とが１：１の組紐組織拡大説明図である。
【実施例１】
【００１７】
嵩高加工糸とスパンデックス糸とを組糸として組組織間で交叉させて製紐してなる伸縮性を有する丸打又は平打の組紐であり、実施例１のボビンの糸構成は、
紐規格  １６打
東レ  ウーリーポリエステル糸  ６本×８打、
ライクラ糸１本×８打、
糸番手
東レ  ウーリーポリエステル糸  １５０ｄ／１
ライクラ糸                    ４３０ｔ／１
【実施例２】
【００１８】
嵩高加工糸とスパンデックス糸とを組糸として組組織間で交叉させて製紐してなる伸縮性を有する丸打又は平打の組紐であり、実施例２のボビン糸の構成は、
紐規格  ３２打
ユニチカ  ウーリーナイロン糸  ２本×８打、
ライクラ糸  １本×１６打、
糸番手
ユニチカ  ウーリーナイロン糸  １１０ｄ／１
ライクラ糸                    ４３０ｔ／１
【実施例３】
【００１９】
嵩高加工糸とスパンデックス糸とを組糸として組組織間で交叉させて製紐してなる伸縮性を有する丸打又は平打の組紐であり、実施例３のボビン糸の構成は、
紐規格  ４８打
三菱レーヨン  ウーリーポリプロピレン糸  １本×２４打、
ライクラ糸  １本×２４打、
糸番手
三菱レーヨン  ウーリーポリプロピレン糸  ８００ｄ／１
ライクラ糸                              ４３０ｔ／１
である。
【００２０】
上記の組糸の組組織間に１:１の割合で嵩高加工糸とスパンデックス糸とを製紐すると嵩高加工糸間に埋もれスパンデックス糸が見えにくくなり組紐に厚み感があり風合いは柔らかくなり、紐全体がバランスよく収縮し、伸縮にむらがなくて弾力性があり、伸縮性も約１．５倍から２倍となり、さらに組紐全体としてスパンデックス糸と嵩高加工糸の割合を調整することにより使用用途に応じて弾力性を調整することが出来る。
【００２１】
嵩高加工糸はウーリーナイロン、ウーリーポリエステル、ウーリーポリプロピレンが適しており、糸の嵩高加工方式はギヤー式加工糸、押込加工糸、仮燃式加工糸、擦過式加工糸などいずれでも使用できるが、嵩高となる糸の捲縮形状は波形状のもの或いはスパイラル状のものでもよい。
スパンデックス糸はライクラ（ＬＹＣＲＡ「登録商標」デュポン製）、バイレン（Ｖｙｒｅｎｅ「登録商標」Ｕ．Ｓ．ラバー製）等であり、何れもポリウレタン系合成樹脂を使用しているが、使用用途に応じてライクラ糸、同バイレン糸と程度の弾性糸であれば、合成ゴム糸、天然ゴム糸などに変更が可能で、組紐表面からは嵩高加工糸間に埋もれでライクラ糸が見えにくくなり、長さ方向に引っ張ったり、組紐を縦断面にすれば嵩高加工糸の間からライクラ糸が見える構成割合であればスパンデックス糸の変更は可能で、ライクラ糸、バイレン糸に限定されるものではない。
【図面の簡単な説明】
【００２２】
【図１】組紐の平打ちの組織を示す説明図である。
【図２】組紐の丸打ちの組織を示す説明図である。
【図３】実施例１の紐規格１６打ち、嵩高加工糸とスパンデックス糸とが１：１の組紐組織拡大説明図である。
【図４】実施例２の紐規格３２打ち、嵩高加工糸とスパンデックス糸とが１：１の組紐組織拡大説明図である。
【図５】実施例３の紐規格４８打ち、嵩高加工糸とスパンデックス糸とが１：１の組紐組織拡大説明図である。
【符号の説明】
【００２３】
１    スパンデックス糸
２    嵩高加工糸
３    平打ち組紐
４    丸打ち組紐
【図１】
0003104407.tif 000003
【図２】
0003104407.tif 000004
【図３】
0003104407.tif 000005
【図４】
0003104407.tif 000006
【図５】
0003104407.tif 000007